(57)【要約】      （修正有）【課題】記録像へのアクセスが便利な超音波診断装置を実現する。【解決手段】記録媒体はＤＶＤとする。記録再生部１２と表示部１０と、操作部１６及び制御部１４による記録媒体のフォーマッティング時に直後に記録する画像の患者ＩＤおよび／または日時を用いて媒体識別名の前半部を付与し、記録媒体のファイナライズ時に直前に記録した画像の患者ＩＤおよび／または日時を用いて媒体識別名の後半部を付与する識別名付与手段、撮影された画像を患者ＩＤに対応させて記録媒体に記録させる記録制御手段、記録媒体の記録内容を患者ＩＤによるリストとして表示手段に表示させるリスト表示制御手段、表示されたリストの中から選択された患者ＩＤに対応する記録内容を記録再生手段に再生させる再生制御手段とを具備する。【選択図】図１
2006122180.tif 000002
【特許請求の範囲】
【請求項１】
超音波によって画像を撮影する撮影手段と、
撮影された画像をＤＶＤを記録媒体として記録するとともに記録内容を再生する記録再生手段と、
撮影された画像または再生された画像を表示する表示手段と、
前記記録媒体のフォーマッティング時に、直後に記録する画像の患者ＩＤおよび／または日時を用いて媒体識別名の前半部を付与し、前記記録媒体のファイナライズ時に、直前に記録した画像の患者ＩＤおよび／または日時を用いて媒体識別名の後半部を付与する識別名付与手段と、
撮影された画像を患者ＩＤに対応させて前記記録媒体に記録させる記録制御手段と、
前記記録媒体の記録内容を患者ＩＤによるリストとして前記表示手段に表示させるリスト表示制御手段と、
表示されたリストの中から選択された患者ＩＤに対応する記録内容を前記記録再生手段に再生させる再生制御手段と、
前記記録再生手段が画像を記録または再生するとき前記表示手段に媒体識別名を表示させる識別名表示制御手段と、
を具備することを特徴とする超音波診断装置。
【請求項２】
前記ファイナライズ時に患者に関する付加的情報を前記記録媒体のファイナライズ用記録領域に記録させる付加的情報記録制御手段、
を具備することを特徴とする請求項２に記載の超音波診断装置。
【請求項３】
前記付加的情報はＤＩＣＯＭに準拠した画像ファイルである、
ことを特徴とする請求項３に記載の超音波診断装置。
【請求項４】
前記付加的情報は患者に関する計測データである、
ことを特徴とする請求項３に記載の超音波診断装置。
【請求項５】
前記記録再生手段が画像を記録するとき前記表示手段に前記記録媒体の記録容量の残量を表示させる残量表示制御手段、
を具備することを特徴とする請求項１ないし請求項４のうちのいずれか１つに記載の超音波診断装置。
【請求項６】
前記残量は残りの記録時間である、
ことを特徴とする請求項５に記載の超音波診断装置。
【請求項７】
前記リスト表示制御手段は、患者ＩＤごとの代表画像をサムネイルとして表示させる、
ことを特徴とする請求項１ないし請求項６のうちのいずれか１つに記載の超音波診断装置。
【請求項８】
前記識別名表示制御手段は、前記表示手段が前記リストを表示するときにも記録媒体の識別名を表示させる、
ことを特徴とする請求項１ないし請求項７のうちのいずれか１つに記載の超音波診断装置。
【発明の詳細な説明】
【技術分野】
【０００１】
本発明は、超音波診断装置に関し、特に、超音波によって画像を撮影して記録媒体に記録する超音波診断装置に関する。
【背景技術】
【０００２】
超音波診断では、超音波によって撮影した動画像を記録媒体に記録し、後日必要に応じて再生することが行われる。画像の記録には、磁気テープ（ｔａｐｅ）を記録媒体とするＶＴＲ（ｖｉｄｅｏ  ｔａｐｅ  ｒｅｃｏｒｄｅｒ）が利用される（例えば、特許文献１参照）。
【特許文献１】特開２００２−２３８９０３号公報（第３頁、図１）
【発明の開示】
【発明が解決しようとする課題】
【０００３】
磁気テープはランダムアクセス（ｒａｎｄｏｍ  ａｃｃｅｓｓ）が不可能な記録媒体なので、所望の記録画像にアクセスするためには、テープカウンタ（ｔａｐｅ  ｃｏｕｎｔｅｒ）を頼りに記録媒体の早送りや巻き戻しを行わなければならず、アクセスに不便である。
【０００４】
そこで、本発明の課題は、記録画像へのアクセスが便利な超音波診断装置を実現することである。
【課題を解決するための手段】
【０００５】
上記の課題を解決するための本発明は、超音波によって画像を撮影する撮影手段と、撮影された画像をＤＶＤを記録媒体として記録するとともに記録内容を再生する記録再生手段と、撮影された画像または再生された画像を表示する表示手段と、前記記録媒体のフォーマッティング時に、直後に記録する画像の患者ＩＤおよび／または日時を用いて媒体識別名の前半部を付与し、前記記録媒体のファイナライズ時に、直前に記録した画像の患者ＩＤおよび／または日時を用いて媒体識別名の後半部を付与する識別名付与手段と、撮影された画像を患者ＩＤに対応させて前記記録媒体に記録させる記録制御手段と、前記記録媒体の記録内容を患者ＩＤによるリストとして前記表示手段に表示させるリスト表示制御手段と、表示されたリストの中から選択された患者ＩＤに対応する記録内容を前記記録再生手段に再生させる再生制御手段と、前記記録再生手段が画像を記録または再生するとき前記表示手段に媒体識別名を表示させる識別名表示制御手段と、を具備することを特徴とする超音波診断装置である。
【０００６】
前記ファイナライズ時に患者に関する付加的情報を前記記録媒体のファイナライズ用記録領域に記録させる付加的情報記録制御手段を具備することが、記録媒体の記録容量を有効に利用する点で好ましい。
【０００７】
前記付加的情報はＤＩＣＯＭに準拠した画像ファイルであることが、記録媒体の利便性を高める点で好ましい。
前記付加的情報は患者に関する計測データであることが、記録媒体の利便性を高める点で好ましい。
【０００８】
前記記録再生手段が画像を記録するとき前記表示手段に前記記録媒体の記録容量の残量を表示させる残量表示制御手段を具備することが、動画像の記録を効果的に行う点で好ましい。
【０００９】
前記残量は残りの記録時間であることが、記録時間を効果的に管理する点で好ましい。
前記リスト表示制御手段は、患者ＩＤごとの代表画像をサムネイルとして表示させることが、記録内容の認識性を良くする点で好ましい。
【００１０】
前記識別名表示制御手段は、前記表示手段が前記リストを表示するときにも記録媒体の識別名を表示させることが、記録媒体の確認を容易にする点で好ましい。
【発明の効果】
【００１１】
本発明によれば、超音波診断装置が、超音波によって画像を撮影する撮影手段と、撮影された画像をＤＶＤを記録媒体として記録するとともに記録内容を再生する記録再生手段と、撮影された画像または再生された画像を表示する表示手段と、前記記録媒体のフォーマッティング時に、直後に記録する画像の患者ＩＤおよび／または日時を用いて媒体識別名を付与する識別名付与手段と、撮影された画像を患者ＩＤに対応させて前記記録媒体に記録させる記録制御手段と、前記記録媒体の記録内容を患者ＩＤによるリストとして前記表示手段に表示させるリスト表示制御手段と、表示されたリストの中から選択された患者ＩＤに対応する記録内容を前記記録再生手段に再生させる再生制御手段と、前記記録再生手段が画像を記録または再生するとき前記表示手段に媒体識別名を表示させる識別名表示制御手段とを具備するので、記録内容へのアクセスが便利な超音波診断装置を実現することができる。
【発明を実施するための最良の形態】
【００１２】
以下、図面を参照して発明を実施するための最良の形態を詳細に説明する。なお、本発明は、発明を実施するための最良の形態に限定されるものではない。図１に超音波診断装置のブロック（ｂｌｏｃｋ）図を示す。本装置は発明を実施するための最良の形態の一例である。本装置の構成によって、超音波診断装置に関する本発明を実施するための最良の形態の一例が示される。
【００１３】
図１に示すように、本装置は、超音波プローブ（ｐｒｏｂｅ）２を有する。超音波プローブ２は、超音波トランスデューサアレイ（ｔｒａｎｓｄｕｃｅｒ  ａｒｒａｙ）を有する。超音波トランスデューサアレイにおける個々の超音波トランスデューサは例えばＰＺＴ（チタン（Ｔｉ）酸ジルコン（Ｚｒ）酸鉛）セラミックス（ｃｅｒａｍｉｃｓ）等の圧電材料によって構成される。
【００１４】
超音波プローブ２は、使用者により対象２０に当接して使用される。超音波プローブ２は送受信部４に接続されている。送受信部４は、超音波プローブ２に駆動信号を与えて超音波ビームを送波させる。送受信部４は、また、超音波プローブ２が受波したエコー（ｅｃｈｏ）信号を受信する。
【００１５】
送受信部４は、例えば図２に示すような走査を行う。すなわち、放射点２００からｚ方向に延びる音線２０２で扇状の２次元領域２０６をθ方向に走査し、いわゆるセクタスキャン（ｓｅｃｔｏｒ  ｓｃａｎ）を行う。音線は超音波ビームの中心軸に相当する。
【００１６】
送波および受波の開口を超音波トランスデューサアレイの一部を用いて形成するときは、この開口をアレイに沿って順次移動させることにより、例えば図３に示すような走査を行うことができる。すなわち、放射点２００からｚ方向に発する音線２０２を直線状の軌跡２０４に沿って平行移動させて矩形状の２次元領域２０６をｘ方向に走査し、いわゆるリニアスキャン（ｌｉｎｅａｒ  ｓｃａｎ）を行う。
【００１７】
なお、超音波トランスデューサアレイが、超音波送波方向に張り出した円弧に沿って形成されたいわゆるコンベックスアレイ（ｃｏｎｖｅｘ  ａｒｒａｙ）である場合は、リニアスキャンと同様な音線走査により、例えば図４に示すように、音線２０２の放射点２００を円弧状の軌跡２０４に沿って移動させ、扇面状の２次元領域２０６をθ方向に走査して、いわゆるコンベックススキャンが行える。
【００１８】
送受信部４はエコー処理部６に接続されている。送受信部４が出力する音線ごとのエコー受信信号はエコー処理部６に入力される。エコー処理部６はエコー信号を処理して音線ごとの画像信号を形成する。
【００１９】
エコー処理部６は画像処理部８に接続されている。画像処理部８は、エコー処理部６から入力される画像信号に基づいて画像を生成する。画像生成にあたって、画像処理部８は、スキャン変換により、画像信号の配列を音線順次の配列から２次元空間における格子状の配列に変換する。
【００２０】
画像処理部８には表示部１０が接続されている。表示部１０は、画像処理部８から出力された画像を表示する。表示部１０はグラフィックディスプレー（ｇｒａｐｈｉｃ  ｄｉｓｐｌａｙ）等で構成される。
【００２１】
画像処理部８には、また、記録再生部１２が接続されている。記録再生部１２は記録媒体への画像処理部８の出力画像の記録と、記録媒体からの記録画像の再生を行う。再生画像は表示部１０で表示される。
【００２２】
超音波プローブ２ないしエコー処理部６からなる部分は、本発明における撮影手段の一例である。表示部１０は、本発明における表示手段の一例である。記録再生部１２は、本発明における記録再生手段の一例である。
【００２３】
記録再生部１２は、ＤＶＤ（ｄｉｇｉｔａｌ  ｖｅｒｓａｔｉｌｅ  ｄｉｓｋ）を記録媒体とする。そのような記録再生部１２は、例えばＤＶＤレコーダ（ＤＶＤ  ｒｅｃｏｒｄｅｒ）等によって実現される。以下、記録媒体を単に媒体ともいう。
【００２４】
以上の送受信部４、エコー処理部６、画像処理部８、表示部１０および記録再生部１２には制御部１４が接続されている。制御部１４は、それら各部に制御信号を与えてその動作を制御する。制御部１４には、また、被制御の各部から各種の報知信号が入力される。制御部１４による制御の下で、超音波画像の撮影並びに超音波画像の記録および再生が行われる。
【００２５】
制御部１４には操作部１６が接続されている。操作部１６は使用者によって操作され、制御部１４に適宜の指令や情報を入力するようになっている。操作部１６は、例えばキーボード（ｋｅｙｂｏａｒｄ）やポインティングデバイス（ｐｏｉｎｔｉｎｇ  ｄｅｖｉｃｅ）およびその他の操作具を備えている。
【００２６】
表示部１０および操作部１６は、本装置のマン・マシンインターフェース（ｍａｎ−ｍａｃｈｉｎｅ  ｉｎｔｅｒｆａｃｅ）となる。使用者は、このマン・マシンインターフェースを通じて本装置をインタラクティブ（ｉｎｔｅｒａｃｔｉｖｅ）に操作することができる。
【００２７】
本装置の動作を、画像の記録および再生に着目して説明する。図５に、本装置の動作のフロー（ｆｌｏｗ）図を示す。同図に示すように、ステップ（ｓｔｅｐ）５０１で媒体挿入が行われる。媒体挿入は使用者により記録再生部１２に対して行われる。
【００２８】
挿入される媒体は未記録または既記録の媒体である。未記録媒体は新規に画像を記録する場合に用いられる。既記録媒体は追記または再生を行う場合に用いられる。媒体がＤＶＤ−Ｒ／−ＲＷであるときは、ファイナライズ（ｆｉｎａｌｉｚｅ）しないうちは追記および再生が可能であり、ファイナライズ後は再生のみが可能である。
【００２９】
まず、挿入された媒体が未記録媒体であり、それに新規に画像を記録する場合について説明する。未記録媒体が挿入されると、図６に示すような画面が表示される。同図に示すように、画面はいくつかのＧＵＩ（ｇｒａｐｈｉｃ  ｕｓｅｒ  ｉｎｔｅｒｆａｃｅ）を有する。各ＧＵＩは、ポインティングデバイスやタッチパネル（ｔｏｕｃｈ  ｐａｎｅｌ）等で操作可能な押しボタン（ｂｕｔｔｏｎ）として機能する。
【００３０】
ＧＵＩ６０２はサーチ（ｓｅａｒｃｈ）ボタンであり、媒体の記録内容のリスト（ｌｉｓｔ）を表示させるのに用いられる。ＧＵＩ６０４はフォーマット（ｆｏｒｍａｔ）ボタンであり、媒体のフォーマッティングを行うのに用いられる。ＧＵＩ６０６はファイナライズ（ｆｉｎａｌｉｚｅ）ボタンであり、媒体をファイナライズするのに用いられる。
【００３１】
ＧＵＩ７０２は記録ボタンであり、媒体に画像を記録するのに用いられる。ＧＵＩ７０４は再生ボタンであり、媒体から記録画像を再生するのに用いられる。ＧＵＩ７０６は停止ボタンであり、記録または再生を停止するのに用いられる。このボタンは媒体取出にも用いられる。
【００３２】
ＧＵＩ７０８，７１０は互いに逆方向への早送りボタンであり、再生画像を早送りするのに用いられる。ＧＵＩ７１２はポーズ（ｐａｕｓｅ）ボタンであり、再生画像を一時停止するのに用いられる。
【００３３】
これらのＧＵＩは、表示部１０とは別体の操作専用のディスプレーに表示させ、タッチパネルによって操作するようにしてもよい。以下、表示部１０に表示させる例で説明するが、専用ディスプレーに表示させる場合も同様である。
【００３４】
挿入された媒体について、ステップ５０３で、フォーマッティング（ｆｏｒｍａｔｉｎｇ）するか否かが選択される。選択は使用者によって行われる。媒体が未使用であることにより使用者はフォーマットボタン６０４を操作してフォーマッティングを選択する。
【００３５】
これによって、ステップ５０５で、フォーマッティングおよび媒体識別名付与が行われる。媒体識別名付与は制御部１４によって行われる。制御部１４は、本発明における識別名付与手段の一例である。
【００３６】
媒体識別名には患者ＩＤ（ｉｄｅｎｔｉｆｉｃａｔｉｏｎ）が利用される。患者ＩＤはこれから画像を記録する患者のＩＤであり、本装置に予め入力されている。患者ＩＤには記録当日の日付を組み合わせるようにしてもよい。当日の日付も本装置によって認識されている。媒体識別名には、患者ＩＤのみまたは記録当日の日付のみを用いるようにしてもよい。媒体識別名は、記録再生部１２による読み取りが可能な形式で媒体に記録される。なお、ここで付与される識別名は媒体識別名の前半部分である。
【００３７】
フォーマッティングおよび媒体識別名付与後に、ステップ５０７で、内容表示が行われる。未記録媒体には記録内容が存在しないので表示画面は例えば図７に示すようになる。同図に示すように、媒体識別名は画面の左上に表示される。ここでは、媒体識別名を患者ＩＤと日付の組合せとして示す。媒体識別名の表示は制御部１４による制御の下で行われる。制御部１４は、本発明における識別名表示制御手段の一例である。
【００３８】
次に、ステップ５０９で、記録か再生かの選択が行われる。選択は、使用者が記録ボタン７０２と再生ボタン７０４のどちらを操作するかによって行われる。使用者が記録ボタン７０２を操作したとき、ステップ５１１で、画像記録が開始される。これによって撮影中の画像の媒体への記録が行われる。画像記録は制御部１４による制御の下で行われる。制御部１４は、本発明における記録制御手段の一例である。
【００３９】
このときの画面は例えば図８に示すようになる。同図に示すように、画面には撮影中のリアルタイム（ｒｉａｌ  ｔｉｍｅ）画像が表示される。画面には、また、媒体識別名、撮影中の患者のＩＤおよび媒体の記録容量が表示される。記録容量は残り時間として表示され、後どれくらい記録できるかが容易にわかるようになっている。残り時間表示は制御部１４による制御の下で行われる。制御部１４は、本発明における残量表示制御手段の一例である。
【００４０】
画像の記録は患者ＩＤごとに行われ、画像のリスト管理が患者ＩＤ単位で行えるようになっている。すなわち、ＤＶＤにおける通常のチャプタ（ｃｈａｐｔｅｒ）管理のように、記録の開始／停止の度に画像をリストするのではなく、記録／停止の繰り返しがあっても患者ＩＤごとに画像をリストする。これは、例えば記録の開始／停止ごとにできるチャプタを患者ＩＤに従属させることによって実現される。
【００４１】
画像記録を終了したとき、ステップ５１３で、ファイナライズをするか否かが選択される。選択は使用者によって行われる。ファイナライズの選択はファイナライズボタン６０６の操作によって行われる。
【００４２】
ここでは、ファイナライズは行わないものとし、ステップ５１７で媒体取出が行われる。媒体取出は使用者によって行われる。使用者は停止ボタン７０６を操作して媒体取出を行う。
【００４３】
次に、既記録媒体に追記を行う場合について説明する。追記を行う既記録媒体は未ファイナライズの媒体である。ステップ５０１での記録媒体挿入に伴って、図９に示すような画面が表示される。画面の左上には媒体識別名が表示され、下側にはＧＵＩによる操作ボタンが表示される。
【００４４】
既記録媒体であるから、ステップ５０３ではフォーマッティングを選択せず、サーチボタン６０２を操作する。これによって、ステップ５０７で、内容表示が行われる。内容表示は、例えば図１０に示すような画面によって行われる。同図に示すように、記録内容が患者ＩＤによるリストとして示される。このときにも、記録媒体の識別名を表示させる。これによって、記録媒体の確認を容易にすることができる。記録内容の表示は制御部１４による制御の下で行われる。制御部１４は、本発明におけるリスト表示制御手段の一例である。
【００４５】
患者ＩＤはサムネイル（ｔｈｕｍｂ  ｎａｉｌ）化された代表画像を伴う。このように、患者ＩＤごとの代表画像をサムネイルとして表示させることより、記録内容の認識性を良くすることができる。なお、リストは、サムネイルを伴わない患者ＩＤだけで表示するようにしてもよい。また、患者ＩＤには日付を組み合わせるようにしてもよい。以下同様である。
【００４６】
このような表示状態においてステップ５０９で記録を選択すると、ステップ５１１の画像記録が開始され、撮影中の画像の記録が行われる。これによって、表示画面は例えば図１１に示すようになり、リアルタイム画像、患者ＩＤおよび記録容量が表示される。
【００４７】
この患者（ＩＤ３２４）について、以前に撮影した画像がこの媒体に記録されているときは、その画像に関連づけて記録される。これによって、同一の患者の画像は撮影時期が異なっても同一のリストとして管理することができる。なお、この患者について初めて記録するときは新たな画像として追記される。
【００４８】
画像記録の終了とともにこの媒体をファイナライズするときは、ステップ５１３でファイナライズボタン６０６を操作する。これによって、ステップ５１５でファイナライズおよび媒体識別名付与が行われる。
【００４９】
ファイナライズは、媒体の未記録領域にダミーデータ（ｄｕｍｍｙ  ｄａｔａ）を書き込むことによって行われる。ファイナライズすることにより、追記は不可能になるが画像を記録するのに用いた装置以外の装置でも再生できるようになる。
【００５０】
媒体識別名付与は患者ＩＤを利用して行われる。患者ＩＤは直前に画像記録を行った患者のＩＤであり、本装置に予め入力されている。患者ＩＤには記録当日の日付を組み合わせるようにしてもよく、あるいは、患者ＩＤのみまたは記録当日の日付のみを用いるようにしてもよい。媒体識別名は、記録再生部１２による読み取りが可能な形式で媒体に記録される。ここで付与される識別名は媒体識別名の後半部分である。
【００５１】
これによって、完全な媒体識別名が確定する。確定した媒体識別名は、例えば図１２に示すように画面に表示される。同図に示すように、媒体識別名は、媒体に最初に記録した画像の患者ＩＤと日付を前半部分とし、媒体に最後に記録した画像の患者ＩＤと日付を後半部分とするものとなる。
【００５２】
ファイナライズに当たって、記録済の領域が比較的小さい（例えば１ＧＢ未満）ときは、ファイナライズ用の書込領域に、ダミーデータばかりでなく患者に関する付加的情報を記録するようにしてもよい。付加的情報として、例えばＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ）に準拠した画像または患者に関する計測データ等を記録すれば、記録媒体の利便性を高めることができる。また、記録媒体の記録容量を有効に利用することができる。付加的情報の記録は制御部１４による制御の下で行われる。制御部１４は、本発明における付加的情報記録制御手段の一例である。
【００５３】
次に、記録画像の再生について説明する。ステップ５０１で既記録媒体が挿入される。既記録媒体は未ファイナライズまたは既ファイナライズのものである。以下に既ファイナライズの媒体からの再生について説明するが、未ファイナライズ媒体の場合もこれに準ずる。
【００５４】
ステップ５０１での記録媒体挿入により、図１３に示すような画面が表示される。画面の左上には媒体識別名が表示され、下側にはＧＵＩによる操作ボタンが表示される。既ファイナライズであることにより、媒体識別名は完全名が表示される。なお、未ファイナライズ媒体のときは媒体識別名の前半部分だけが表示される。
【００５５】
既記録媒体であるから、ステップ５０３ではフォーマッティングを選択せず、サーチボタン６０２を操作する。これによって、ステップ５０７で、内容表示が行われる。内容表示は、例えば図１４に示すような画面によって行われる。同図に示すように、記録内容が患者ＩＤによるリストとして示される。患者ＩＤはサムネイル化された代表画像を伴う。
【００５６】
画像のリスト管理が、患者ＩＤの基づいて行われるので、同一患者について時期が異なる複数の画像が記録されているときでも、それらは分散することなく同一のリストとして表示される。この画面で所望の患者ＩＤを指定して再生ボタン７０４を操作することにより、ステップ７２１で、指定された患者の記録画像が再生される。なお、再生画像の指定は、例えば図１５に示すように、患者ＩＤごとの下位のリスト（チャプタ等）を表示させその中から指定するようにしてもよい。また、各チャプタがそれぞれサムネイルを伴うようにしてもよい。
【００５７】
再生画像の表示画面は、例えば図１６に示すようになる。同図に示すように、画面には再生画像が表示され、また、媒体識別名および患者ＩＤも表示される。記録画像の再生は制御部１４による制御の下で行われる。制御部１４は、本発明における再生制御手段の一例である。
【００５８】
画像のリスト管理が、患者ＩＤの基づいて行われるので、同一患者について時期が異なる複数の画像が記録されているときでもそれらが逐次に表示される。再生中に、必要に応じて、早送りボタン７０８，７１０による早送りまたはポーズボタン７１２による一時停止が行われる。
【図面の簡単な説明】
【００５９】
【図１】本発明を実施するための最良の形態の一例の超音波診断装置のブロック図である。
【図２】音線走査の概念を示す図である。
【図３】音線走査の概念を示す図である。
【図４】音線走査の概念を示す図である。
【図５】本発明を実施するための最良の形態の一例の超音波診断装置の動作のフロー図である。
【図６】表示画面を模式的に示す図である。
【図７】表示画面を模式的に示す図である。
【図８】表示画面を模式的に示す図である。
【図９】表示画面を模式的に示す図である。
【図１０】表示画面を模式的に示す図である。
【図１１】表示画面を模式的に示す図である。
【図１２】表示画面を模式的に示す図である。
【図１３】表示画面を模式的に示す図である。
【図１４】表示画面を模式的に示す図である。
【図１５】表示画面を模式的に示す図である。
【図１６】表示画面を模式的に示す図である。
【符号の説明】
【００６０】
２０：対象
２：超音波プローブ
４：送受信部
６：エコー処理部
８：画像処理部
１０：表示部
１２：記録再生部
１４：制御部
１６：操作部
【図１】
2006122180.tif 000003
【図２】
2006122180.tif 000004
【図３】
2006122180.tif 000005
【図４】
2006122180.tif 000006
【図５】
2006122180.tif 000007
【図６】
2006122180.tif 000008
【図７】
2006122180.tif 000009
【図８】
2006122180.tif 000010
【図９】
2006122180.tif 000011
【図１０】
2006122180.tif 000012
【図１１】
2006122180.tif 000013
【図１２】
2006122180.tif 000014
【図１３】
2006122180.tif 000015
【図１４】
2006122180.tif 000016
【図１５】
2006122180.tif 000017
【図１６】
2006122180.tif 000018